(57)【要約】【課題】挟かく状態を開放する際の押圧する力を軽減することが可能な挟持具を提供する。【解決手段】コイルばね２１は、上脚２２と、下脚２４を有し、コイルばねが回動可能なように挟持体１５に持着し、挟み部２０を挟持体の下端部２８がある方向へ弧を描くように付勢し、操作部６を挟み部２０が付勢する前記方向と反対方向に弧を描くよう押圧させるように、操作部６の押圧に対応して挟み部２０が付勢するように配置し、挟持体１５と一体的に形成した基板１４の一端に可撓性を備えたアーム状の脚片１を突設し、弧を描くように操作部６を押圧させる該方向に対して、基板１４と脚片１の境界側３を起点とし脚片１の突端９を終点とした方向を同一方向に沿うようにして脚片１を設け、操作部６の突端に一体的に配置した係合部５を設け、係合部５を係合する係止部２と、係合部５を係止部２まで案内する案内部４を脚片１に設けた挟持具。【選択図】図１
2006305030.tif 000002
【特許請求の範囲】
【請求項１】
コイルばねは、前記コイルばねの巻回部の上部より延長した上脚と、前記巻回部の下部より延長した下脚を有し、前記コイルばねが回動可能なように挟持体に持着し、前記下脚の一端部に一体的に設けた挟み部を前記挟持体の下端部がある方向へ弧を描くように付勢し、前記上脚の一端部に一体的に設けた操作部を前記挟み部が付勢する前記方向と反対方向に弧を描くよう押圧させるように、前記操作部の押圧に対応して前記挟み部が付勢するように配置し、前記挟持体と一体的に形成した基板の一端に可撓性を備えたアーム状の脚片を突設し、弧を描くように前記操作部を押圧させる該方向に対して、前記基板と前記脚片の境界側を起点とし前記脚片の突端を終点とした方向を同一方向に沿うようにして前記脚片を設け、前記操作部の突端に一体的に配置した係合部を設け、前記係合部を係合する係止部と、前記係合部を前記係止部まで案内する案内部を前記脚片に設けた挟持具。
【請求項２】
前記脚片の前記突端を押圧する押圧部材を一体的に配置した長尺部材を設け、前記長尺部材が嵌通する基板開口部を前記基板に配置し、前記長尺部材を前記基板開口部に嵌通させ摺動可能に設けた、請求項１に記載の挟持具。
【請求項３】
請求項２に記載の挟持具において、複数の該挟持具にあって、該複数の該挟持具の複数の前記基板を一体的に設け、該複数の該挟持具の複数の前記長尺部材を一体的に設けた挟持具。
【請求項４】
請求項１に記載の前記コイルばねの前記挟持体への持着において、前記挟持体の短手方向の両側に立設した側壁に短手方向に貫通した孔を設け、前記巻回部を前記側壁間に配置し、前記巻回部と前記孔にピンを挿入した、請求項１〜３のいずれかに記載の挟持具。
【請求項５】
請求項１に記載の前記コイルばねの前記挟持体への持着において、前記挟持体を上部挟持体と下部挟持体に分割し、前記上部挟持体に設けた上部嵌合部と、前記下部挟持体に設けた下部嵌合部を嵌合するように設け嵌合した組立挟持体を配置し、前記上部嵌合部を雄部として前記下部嵌合部を雌部とした又は前記上部嵌合部を雌部として前記下部嵌合部を雄部とし、上部開口部を有した上部支持片を前記組立挟持体の短手方向に立設し、下部開口部を有した前記下部支持片を前記組立挟持体の短手方向に、前記上部支持片と対角に立設し、前記上部支持片と前記下部支持片の間に前記巻回部を配置し、前記巻回部の上面の一端が前記上部支持片の一端に接するよう前記上脚を前記上部開口部に嵌通させるように前記上部支持片を配置して嵌通させ、前記巻回部の下面の一端が下部支持片の一端に接するよう前記下脚を前記下部開口部に嵌通させるように前記下部支持片を配置して嵌通させた、請求項１〜３のいずれかに記載の挟持具。
【発明の詳細な説明】
【技術分野】
【０００１】
本発明は、洗濯物等物品を挟かくする挟持具に関する。
【背景技術】
【０００２】
一般に、一対の挟持片を開閉式に結合し、両挟持片間に作用するばねにより挟持部の間にて物品を挟持可能とした挟持具を使用し、挟持具に挟まれている洗濯物等物品を挟持具から取り外す際、挟持具の上端部を手等で押圧して付勢力を有するスプリングを圧縮している。また、複数の各々の挟持具に挟まれている複数の各々の洗濯物等物品を複数の各々の挟持具から取り外す際、挟持具をひとつひとつ手等で順番に押圧している。
【発明の開示】
【発明が解決しようとする課題】
【０００３】
前記従来例は、一対の挟持片を開閉式に結合し、両挟持片間に作用するばねにより挟持部の間にて物品を挟持可能とした挟持具を使用しているため、挟持具の挟かく状態を開放する際、ある程度の押圧する力を要するという問題がある。本発明は、前記問題を解消し、挟持具の挟かく状態を開放する際の押圧する力を軽減することが可能な挟持具を提供することを目的とする。
【０００４】
また、前記従来例は、複数の各々の挟持具の挟かく状態を開放する際、挟持具をひとつひとつ手等で順番に押圧しているため、ある程度の時間を要するという問題がある。本発明は、該問題を解消し、複数の各々の挟持具の挟かく状態を同時に開放することにより、複数の各々の挟持具の挟かく状態を開放するのに要する時間の短縮が可能な挟持具を提供することを目的とする。
【課題を解決するための手段】
【０００５】
本発明によると上記課題は、次のようにして解決される。
（１）コイルばねは、前記コイルばねの巻回部の上部より延長した上脚と、前記巻回部の下部より延長した下脚を有し、前記コイルばねが回動可能なように挟持体に持着し、前記下脚の一端部に一体的に設けた挟み部を前記挟持体の下端部がある方向へ弧を描くように付勢し、前記上脚の一端部に一体的に設けた操作部を前記挟み部が付勢する前記方向と反対方向に弧を描くよう押圧させるように、前記操作部の押圧に対応して前記挟み部が付勢するように配置し、前記挟持体と一体的に形成した基板の一端に可撓性を備えたアーム状の脚片を突設し、弧を描くように前記操作部を押圧させる該方向に対して、前記基板と前記脚片の境界側を起点とし前記脚片の突端を終点とした方向を同一方向に沿うようにして前記脚片を設け、前記操作部の突端に一体的に配置した係合部を設け、前記係合部を係合する係止部と、前記係合部を前記係止部まで案内する案内部を前記脚片に設けた挟持具とする。
【０００６】
（２）上記（１）項において、前記脚片の前記突端を押圧する押圧部材を一体的に配置した長尺部材を設け、前記長尺部材が嵌通する基板開口部を前記基板に配置し、前記長尺部材を前記基板開口部に嵌通させ摺動可能に設けた挟持具とする。
【０００７】
（３）上記（２）項に記載の挟持具において、複数の該挟持具にあって、該複数の該挟持具の複数の前記基板を一体的に設け、該複数の該挟持具の複数の前記長尺部材を一体的に設けた挟持具とする。
【０００８】
（４）上記（１）項に記載の前記コイルばねの前記挟持体への持着において、前記挟持体の短手方向の両側に立設した側壁に短手方向に貫通した孔を設け、前記巻回部を前記側壁間に配置し、前記巻回部と前記孔にピンを挿入した、上記（１）〜（３）項のいずれかに記載の挟持具とする。
【０００９】
（５）上記（１）項に記載の前記コイルばねの前記挟持体への持着において、前記挟持体を上部挟持体と下部挟持体に分割し、前記上部挟持体に設けた上部嵌合部と、前記下部挟持体に設けた下部嵌合部を嵌合するように設け嵌合した組立挟持体を配置し、前記上部嵌合部を雄部として前記下部嵌合部を雌部とした又は前記上部嵌合部を雌部として前記下部嵌合部を雄部とし、上部開口部を有した上部支持片を前記組立挟持体の短手方向に立設し、下部開口部を有した前記下部支持片を前記組立挟持体の短手方向に、前記上部支持片と対角に立設し、前記上部支持片と前記下部支持片の間に前記巻回部を配置し、前記巻回部の上面の一端が前記上部支持片の一端に接するよう前記上脚を前記上部開口部に嵌通させるように前記上部支持片を配置して嵌通させ、前記巻回部の下面の一端が下部支持片の一端に接するよう前記下脚を前記下部開口部に嵌通させるように前記下部支持片を配置して嵌通させた、上記（１）〜（３）項のいずれかに記載の挟持具とする。
【発明の効果】
【００１０】
本発明によれば、次のような効果を奏する。
（１）本発明の請求項１記載の発明によれば、挟持具の挟かく状態を開放する際の押圧する力が軽減できる。
【００１１】
（２）本発明の請求項２記載の発明によれば、挟持具の挟かく状態を開放する際の押圧する力が軽減でき、押圧の方法が容易である。
【００１２】
（３）本発明の請求項３記載の発明によれば、挟持具の挟かく状態を開放する際の押圧する力が軽減でき、押圧の方法が容易であり、複数の挟持具の挟かく状態を開放するのに要する時間の短縮ができる。
【００１３】
（４）本発明の請求項４記載の発明によれば、挟持体の部品の組立てが簡単にできることによる製造コストの低減ができる。
【００１４】
（５）本発明の請求項５記載の発明によれば、挟持体の部品の組立てが簡単にできることによる製造コストの低減ができる。
【発明を実施するための最良の形態】
【００１５】
以下に、本発明の実施の形態を説明するが、本発明の範囲は、以下に説明される実施の形態に限定されるものではない。最初に本発明の一実施形態である挟持具について記す。図面は本発明の一実施形態を示し、図１は、挟持具の挟み部が開いた状態を描いた斜視図、図２は、背面から見た挟持具の一部を示し、分解して描いた斜視図、図３は、背面から見た挟持具の一部を示し、図２における挟持具の組立図で、挟み部が開いた状態を描いた斜視図、図４は、背面から見た挟持具の一部を示し、図２における挟持具の組立図で、挟み部が閉じた状態を描いた斜視図である。
【００１６】
図２において、コイルばね（２１）は、コイルばね（２１）の巻回部（２３）の上部より延長した上脚（２２）と、巻回部（２３）の下部より延長した下脚（２４）を有し、図３〜４において、コイルばねが回動可能なように挟持体（１５）に持着し、下脚の一端部に一体的に設けた挟み部（２０）を挟持体の下端部（２８）がある方向（矢印Ｃ）へ弧を描くように付勢し、上脚の一端部に一体的に設けた操作部（６）を挟み部（２０）が付勢する方向と反対方向（矢印Ｒ）に弧を描くよう押圧させるように、操作部（６）の押圧に対応して挟み部（２０）が付勢するように配置してある。
【００１７】
図１において、挟持体（１５）と一体的に形成した基板（１４）（１４ｂ）の一端に可撓性を備えたアーム状の脚片（１）を突設し、弧を描くように操作部（６）を押圧させる方向（矢印Ｒ）に対して、基板（１４）（１４ｂ）と脚片（１）の境界側（３）を起点とし脚片（１）の突端（９）を終点とした方向を同一方向に沿うようにして脚片（１）を設け、操作部（６）の突端に一体的に配置した係合部（５）を設け、係合部（５）を係合する係止部（２）と、係合部（５）を係止部（２）まで案内する案内部（４）を脚片（１）に設けてある。
【００１８】
また、係合部（５）を雄部として係止部（２）を雌部とした又は係合部を雌部として係止部を雄部としてもよい。
【００１９】
脚片（１）の突端（９）を押圧する押圧部材（１３）を一体的に配置した長尺部材（１２）を設け、長尺部材（１２）が嵌通する基板開口部（１０）を基板（１４）（１４ｂ）に配置し、長尺部材（１２）を基板開口部（１０）に嵌通させ摺動可能に設けてある。
【００２０】
なお、長尺部材（１２）の長手方向に沿って基板開口部（１０）の一端にスリット（２６）を形成してもよい。
【００２１】
また、特に図示しないが、長尺部材（１２）が嵌通する基板開口部（１０）を基板（１４）（１４ｂ）に配置し、に代えて、長尺部材（１２）が嵌通する開口部を基板（１４）（１４ｂ）とは別に配置し、長尺部材（１２）を該開口部に嵌通させ摺動可能に設けてもよい。
【００２２】
また、特に図示しないが、脚片（１）の突端（９）を押圧する押圧部材（１３）を一体的に配置した長尺部材（１２）に代えて、脚片（１）の突端（９）に一体的に紐を配置し、引っ張るようにしてもよい。
【００２３】
図２において、挟持体（１５）の短手方向の両側に立設した側壁（１７）（１７ａ）に短手方向に貫通した孔（１８）（１８ａ）を設け、巻回部（２３）を側壁（１７）（１７ａ）間に配置し、巻回部（２３）と孔（１８）（１８ａ）にピン（２５）を挿入してある。
【００２４】
なお、孔（１８）（１８ａ）からピン（２５）が脱落しないようにピン（２５）の両端を潰してもよい。
【００２５】
また、図示しないがピンの代わりにビスとナットで固定してもよい。
【００２６】
次に、同じく、本発明の一実施形態である前記挟持具の機構の作用について説明する。図５は、図１における挟持具の一部を分解して描いた斜視図、図６は、図１における挟持具の挟み部が閉じた状態を描いた斜視図である。図１において、表示棒（１６）の位置で挟み部が開いていることを目で確認し、図３において、挟み部（２０）と滑り止め（１９）の間に洗濯物等物品を手等で挿入し、図１において、表示棒（１６）の位置又は窓（８）にて洗濯物等物品が確実に挿入されていることを目で確認してから、矢印Ｒで示す方向に弧を描くように操作部（６）を手等で押圧することにより、コイルばねが圧縮し、図６において、係合部（５）が係止部（２）に係合し、図４において、滑り止め（１９）のある方向（矢印Ｃ）に弧を描くように挟み部（２０）が可動し、洗濯物等物品が挟かくされる。なお、表示棒（１６）及び窓（８）が設けられているので表裏どちら側からでも操作ができる。
【００２７】
また、図１において、スリット（２６）を設けたことにより、操作部（６）を押圧する力が軽減できる。図５において、組立て時には、長尺部材（１２）をスリット（２６）から挿入することで、組立てが容易となり、製造コストを減少できる。
【００２８】
図６において、突端部（１１）を矢印Ｄの方向に手等で押圧することにより、押圧部材（１３）が突端（９）を押圧し、係合部（５）が係止部（２）より外れ、コイルばねの復元しようとする力により、矢印Ｓで示す方向に弧を描くように操作部（６）が可動し、図３において、滑り止め（１９）のある方向と反対方向（矢印Ｂ）に弧を描くように挟み部（２０）が可動し、洗濯物等物品が外れる。挟持具の挟かく状態を開放する際の押圧する力が軽減できる。
【００２９】
また、図６において、突端（９）を矢印Ｄの方向に手等で押圧することにより、係合部（５）が係止部（２）より外れ、コイルばねの復元しようとする力により、矢印Ｓで示す方向に弧を描くように操作部（６）が可動し、図３において、滑り止め（１９）のある方向と反対方向（矢印Ｂ）に弧を描くように挟み部（２０）が可動し、洗濯物等物品が外れる。同じく、挟持具の挟かく状態を開放する際の押圧する力が軽減できる。
【００３０】
また、図１において、スリット（２６）を設けたことにより、突端（９）を押圧する力が軽減できる。
【００３１】
図１において、押圧された脚片（１）が基板（１４ｂ）に衝突し押し返されたことから生じる反発等により、脚片（１）が元の位置に戻り、突端（９）に押圧された押圧部材（１３）が矢印Ａの方向に戻され、長尺部材（１２）が元の位置に戻る。
【００３２】
次に、本発明の一実施形態である前記挟持具を複数設けた挟持具について記す。図１７は、本発明の一実施形態を示し、図１における挟持具を複数設けて描いた斜視図である。図１７において、複数の挟持具にあって、複数の挟持具の複数の基板を一体的に設けた基板（３８）を配置し、複数の挟持具の複数の長尺部材を一体的に設けた長尺部材（３９）を配置してある。
【００３３】
また、特に図示しないが、物干し竿等に該挟持具を吊るすことができるように公知の事実であるフック又は紐を設けてもよい。
【００３４】
次に、同じく、本発明の一実施形態である前記挟持具を複数設けた該挟持具の機構の作用について説明する。図１７において、表示棒の位置で挟み部が開いていることを目で確認し、挟み部と滑り止めの間に洗濯物等物品を手等で挿入し、表示棒の位置又は窓にて洗濯物等物品が確実に挿入されていることを目で確認してから、弧を描くように操作部を手等で押圧することにより、コイルばねが圧縮し、係合部が係止部に係合し、滑り止めのある方向に弧を描くように挟み部が可動し、洗濯物等物品が挟かくされる。一体的に設けた長尺部材（３９）を手等で押圧することにより、押圧部材が突端を押圧し、係合部が係止部より外れ、コイルばねの復元しようとする力により、操作部が可動し、滑り止めのある方向と反対方向に挟み部が可動し、洗濯物等物品が外れる。押圧された脚片が基板に衝突し押し返されたことから生じる反発等により、脚片が元の位置に戻り、突端に押圧された押圧部材が戻され、一体的に設けた長尺部材（３９）が元の位置に戻る。
【００３５】
また、特に図示しないが、一体的に設けた長尺部材（３９）が予期せぬ外的要因等により押圧されることにより、洗濯物等物品が外れるのを防止するためのストッパーを設けてもよい。
【００３６】
次に、本発明の他の一実施形態である挟持具について記す。図７は、背面から見た挟持具の一部を描いた拡大斜視図、図８は、背面から見た挟持具の一部を描き、図７における挟持具を分解して描いた拡大斜視図である。図１０は、背面から見た挟持具のコイルばねとコイルばねの周辺を描いた部分斜視図である。図７〜８、１０において、挟持体を上部挟持体（２９）と下部挟持体（３４）に分割し、上部挟持体（２９）に設けた上部嵌合部（３６）と、下部挟持体（３４）に設けた下部嵌合部（３７）を嵌合するように設け嵌合した組立挟持体（３５）を配置し、上部嵌合部（３６）を雄部として下部嵌合部（３７）を雌部とした又は上部嵌合部を雌部として下部嵌合部を雄部とし、上部開口部（３２）を有した上部支持片（３３）を組立挟持体（３５）の短手方向に立設し、下部開口部（３０）を有した下部支持片（３１）を組立挟持体（３５）の短手方向に、上部支持片（３３）と対角に立設し、上部支持片（３３）と下部支持片（３１）との間に巻回部（２３ａ）を配置し、巻回部（２３ａ）の上面の一端が上部支持片（３３）の一端に接するよう上脚（２２ａ）を上部開口部（３２）に嵌通させるように上部支持片（３３）を配置して嵌通させ、巻回部（２３ａ）の下面の一端が下部支持片（３１）の一端に接するよう下脚（２４ａ）を下部開口部（３０）に嵌通させるように下部支持片（３１）を配置して嵌通させてある。
【００３７】
次に、本発明の他の一実施形態である挟持具について記す。図９は、背面から見た挟持具の一部を描き、挟持具を分解して描いた拡大斜視図である。図９〜１０において、挟持体を上部挟持体（２９ａ）と下部挟持体（３４ａ）に分割し、上部挟持体（２９ａ）に設けた上部嵌合部（３６ａ）と、下部挟持体（３４ａ）に設けた下部嵌合部（３７ａ）を嵌合するように設け嵌合した組立挟持体（３５ａ）を配置し、上部嵌合部を雄部として下部嵌合部を雌部とした又は上部嵌合部（３６ａ）を雌部として下部嵌合部（３７ａ）を雄部とし、上部開口部（３２ａ）を有した上部支持片（３３ａ）を組立挟持体（３５ａ）の短手方向に立設し、下部開口部（３０ａ）を有した下部支持片（３１ａ）を組立挟持体（３５ａ）の短手方向に、上部支持片（３３ａ）と対角に立設し、上部支持片（３３ａ）と下部支持片（３１ａ）との間に巻回部（２３ａ）を配置し、巻回部（２３ａ）の上面の一端が上部支持片（３３ａ）の一端に接するよう上脚（２２ａ）を上部開口部（３２ａ）に嵌通させるように上部支持片（３３ａ）を配置して嵌通させ、巻回部（２３ａ）の下面の一端が下部支持片（３１ａ）の一端に接するよう下脚（２４ａ）を下部開口部（３０ａ）に嵌通させるように下部支持片（３１ａ）を配置して嵌通させてある。
【００３８】
また、次に示す本発明の他の一実施形態である挟持具のようにしてもよい。図１１は、本発明の他の一実施形態を示し、挟持具の脚片と基板の一部を描いた部分斜視図である。図１１に示すように、雌部である係止部（２ｂ）を段になるように設けてもよい。
【００３９】
また、次に示す本発明の他の一実施形態である挟持具のようにしてもよい。図１２は、本発明の他の一実施形態を示し、挟持具の脚片と、長尺部材と、基板の一部を描いた部分斜視図である。図１２に示すように、弧を描くよう操作部を押圧させる方向（矢印Ｒ２）に対して、境界側（３ｂ）を起点とし突端（９ｂ）を終点とした方向を同一方向に沿うようにして脚片（１ｂ）を設けるのにおいて、精度を向上させるため、押圧させる方向（矢印Ｒ２）の描く弧と同一の弧を有した扇状の脚片（１ｂ）を設け、押圧させる方向（矢印Ｒ２）の描く弧と扇状の脚片（１ｂ）の弧が接するように配置してもよい。押圧部材（１３ｂ）が突端（９ｂ）を押圧することによる境界側（３ｂ）の単位体積当たりに加わる押圧する力を均等化することができ、押圧する力の均等化により、長期の使用による境界側（３ｂ）の疲労による劣化を軽減することができる。
【００４０】
次に、本発明の他の一実施形態である挟持具について説明するが、本発明の範囲は、以下に説明される実施の形態に限定されるものではない。図面は本発明の他の一実施形態を示し、図１３は、挟持具の一部を分解して描いた斜視図、図１４は、図１３における挟持具の組立図で、挟み部が開いた状態を描いた斜視図である。
【００４１】
図１４において、挟持体（１５ａ）と一体的に形成した基板（１４ａ）（１４ｃ）の一端に可撓性を備えたアーム状の脚片（１ａ）を突設し、弧を描くように操作部（６ａ）を押圧させる方向（矢印Ｒ１）に対して、基板（１４ａ）（１４ｃ）と脚片（１ａ）の境界側（３ａ）を起点とし脚片（１ａ）の突端（９ａ）を終点とした方向を同一方向に沿うようにして脚片（１ａ）を設け、操作部（６ａ）の突端に一体的に配置した係合部（５ａ）を設け、係合部（５ａ）を係合する係止部（２ａ）と、係合部（５ａ）を係止部（２ａ）まで案内する案内部（４ａ）を脚片（１ａ）に設けてある。
【００４２】
また、係合部（５ａ）を雄部として係止部（２ａ）を雌部とした又は係合部を雌部として係止部を雄部としてもよい。
【００４３】
脚片（１ａ）の突端（９ａ）を押圧する押圧部材（１３ａ）を一体的に配置した長尺部材（１２ａ）を設け、長尺部材（１２ａ）が嵌通する基板開口部（１０ａ）を基板（１４ａ）（１４ｃ）に配置し、長尺部材（１２ａ）を基板開口部（１０ａ）に嵌通させ摺動可能に設けてある。
【００４４】
なお、長尺部材（１２ａ）の長手方向に沿って基板開口部（１０ａ）の一端にスリット（２６ａ）を形成してもよい。
【００４５】
次に、同じく、本発明の他の一実施形態である該挟持具の機構の作用について説明する。図１５は、図１３における挟持具の組立図で、挟み部が閉じた状態を描いた斜視図である。図１４において、表示棒（１６ａ）の位置で挟み部が開いていることを目で確認し、挟み部と滑り止めの間に洗濯物等物品を手等で挿入し、表示棒（１６ａ）の位置又は窓（８ａ）にて洗濯物等物品が確実に挿入されていることを目で確認してから、矢印Ｒ１で示す方向に弧を描くように操作部（６ａ）を手等で押圧することにより、コイルばねが圧縮し、図１５において、係合部（５ａ）が係止部（２ａ）に係合し、滑り止めのある方向に弧を描くように挟み部が可動し、洗濯物等物品が挟かくされる。なお、表示棒（１６ａ）及び窓（８ａ）が設けられているので表裏どちら側からでも操作ができる。また、左右に障害物がないので利き腕に関係なく操作ができる。
【００４６】
また、図１４において、スリット（２６ａ）を設けたことにより、操作部（６ａ）を押圧する力が軽減できる。図１３において、組立て時には、長尺部材（１２ａ）をスリット（２６ａ）から挿入することで、組立てが容易となり、製造コストを減少できる。
【００４７】
図１５において、突端部（１１ａ）を矢印Ｄ１の方向に手等で押圧することにより、押圧部材（１３ａ）が突端（９ａ）を押圧し、係合部（５ａ）が係止部（２ａ）より外れ、コイルばねの復元しようとする力により、矢印Ｓ１で示す方向に弧を描くように操作部（６ａ）が可動し、滑り止めのある方向と反対方向に弧を描くように挟み部が可動し、洗濯物等物品が外れる。挟持具の挟かく状態を開放する際の押圧する力が軽減できる。
【００４８】
また、突端（９ａ）を矢印Ｄ１の方向に手等で押圧することにより、係合部（５ａ）が係止部（２ａ）より外れ、コイルばねの復元しようとする力により、矢印Ｓ１で示す方向に弧を描くように操作部（６ａ）が可動し、滑り止めのある方向と反対方向に弧を描くように挟み部が可動し、洗濯物等物品が外れる。同じく、挟持具の挟かく状態を開放する際の押圧する力が軽減できる。
【００４９】
また、図１４において、スリット（２６ａ）を設けたことにより、突端（９ａ）を押圧する力が軽減できる。
【００５０】
押圧された脚片（１ａ）が基板（１４ｃ）に衝突し押し返されたことから生じる反発等により、脚片（１ａ）が元の位置に戻り、突端（９ａ）に押圧された押圧部材（１３ａ）が矢印Ａ１の方向に戻され、長尺部材（１２ａ）が元の位置に戻る。
【図面の簡単な説明】
【００５１】
【図１】本発明の一実施形態の挟持具の挟み部が開いた状態を描いた斜視図である。
【図２】同じく、本発明の一実施形態を示し、背面から見た挟持具の一部を示し、分解して描いた斜視図である。
【図３】同じく、本発明の一実施形態を示し、背面から見た挟持具の一部を示し、図２における挟持具の組立図で、挟み部が開いた状態を描いた斜視図である。
【図４】同じく、本発明の一実施形態を示し、背面から見た挟持具の一部を示し、図２における挟持具の組立図で、挟み部が閉じた状態を描いた斜視図である。
【図５】同じく、本発明の一実施形態を示し、図１における挟持具の一部を分解して描いた斜視図である。
【図６】同じく、本発明の一実施形態を示し、図１における挟持具の挟み部が閉じた状態を描いた斜視図である。
【図７】本発明の他の一実施形態を示し、背面から見た挟持具の一部を描いた拡大斜視図である。
【図８】同じく、本発明の他の一実施形態を示し、背面から見た挟持具の一部を描き、図７における挟持具を分解して描いた拡大斜視図である。
【図９】本発明の他の一実施形態を示し、背面から見た挟持具の一部を描き、分解して描いた拡大斜視図である。
【図１０】本発明の他の一実施形態を示し、背面から見た挟持具のコイルばねとコイルばねの周辺を描いた部分斜視図である。
【図１１】本発明の他の一実施形態を示し、挟持具の脚片と基板の一部を描いた部分斜視図である。
【図１２】本発明の他の一実施形態を示し、挟持具の脚片と、長尺部材と、基板の一部を描いた部分斜視図である。
【図１３】本発明の他の一実施形態を示し、挟持具の一部を分解して描いた斜視図である。
【図１４】同じく、本発明の他の一実施形態を示し、図１３における挟持具の組立図で、挟み部が開いた状態を描いた斜視図である。
【図１５】同じく、本発明の他の一実施形態を示し、図１３における挟持具の組立図で、挟み部が閉じた状態を描いた斜視図である。
【図１６】同じく、本発明の他の一実施形態を示し、図１３における挟持具の操作部を描いた部分斜視図である。
【図１７】本発明の一実施形態を示し、図１における挟持具を複数設けて描いた斜視図である。
【符号の説明】
【００５２】
（１）      脚片
（１ａ）    脚片
（１ｂ）    脚片
（２）      係止部
（２ａ）    係止部
（２ｂ）    係止部
（３）      境界側
（３ａ）    境界側
（３ｂ）    境界側
（４）      案内部
（４ａ）    案内部
（５）      係合部
（５ａ）    係合部
（６）      操作部
（６ａ）    操作部
（７）      操作部ストッパー
（７ａ）    操作部ストッパー
（８）      窓
（８ａ）    窓
（９）      突端
（９ａ）    突端
（９ｂ）    突端
（１０）    基板開口部
（１０ａ）  基板開口部
（１１）    突端部
（１１ａ）  突端部
（１２）    長尺部材
（１２ａ）  長尺部材
（１３）    押圧部材
（１３ａ）  押圧部材
（１３ｂ）  押圧部材
（１４）    基板
（１４ａ）  基板
（１４ｂ）  基板
（１４ｃ）  基板
（１５）    挟持体
（１５ａ）  挟持体
（１６）    表示棒
（１６ａ）  表示棒
（１７）    側壁
（１７ａ）  側壁
（１８）    孔
（１８ａ）  孔
（１９）    滑り止め
（２０）    挟み部
（２１）    コイルばね
（２２）    上脚
（２２ａ）  上脚
（２３）    巻回部
（２３ａ）  巻回部
（２４）    下脚
（２４ａ）  下脚
（２５）    ピン
（２６）    スリット
（２６ａ）  スリット
（２７）    長尺部材ストッパー
（２７ａ）  長尺部材ストッパー
（２８）    下端部
（２９）    上部挟持体
（２９ａ）  上部挟持体
（３０）    下部開口部
（３０ａ）  下部開口部
（３１）    下部支持片
（３１ａ）  下部支持片
（３２）    上部開口部
（３２ａ）  上部開口部
（３３）    上部支持片
（３３ａ）  上部支持片
（３４）    下部挟持体
（３４ａ）  下部挟持体
（３５）    組立挟持体
（３５ａ）  組立挟持体
（３６）    上部嵌合部
（３６ａ）  上部嵌合部
（３７）    下部嵌合部
（３７ａ）  下部嵌合部
（３８）    一体的に設けた基板
（３９）    一体的に設けた長尺部材
【図１】
2006305030.tif 000003
【図２】
2006305030.tif 000004
【図３】
2006305030.tif 000005
【図４】
2006305030.tif 000006
【図５】
2006305030.tif 000007
【図６】
2006305030.tif 000008
【図７】
2006305030.tif 000009
【図８】
2006305030.tif 000010
【図９】
2006305030.tif 000011
【図１０】
2006305030.tif 000012
【図１１】
2006305030.tif 000013
【図１２】
2006305030.tif 000014
【図１３】
2006305030.tif 000015
【図１４】
2006305030.tif 000016
【図１５】
2006305030.tif 000017
【図１６】
2006305030.tif 000018
【図１７】
2006305030.tif 000019